【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
エネルギーインターフェースシステムにおいて、
制御モジュール、
前記制御モジュールに電気的に接続され、スイッチング素子を有する、複数のスレーブモジュール、
前記複数のスレーブモジュールに電気的に接続され、前記スイッチング素子と電気系統の間に電気接点を与えるように構成された、複数のブレーカー、及び
前記制御モジュールから前記複数のスレーブモジュールの内の少なくとも１つに１つ以上の制御信号を送るように構成された、制御バス、
を備え、
前記制御信号は、前記複数のスレーブモジュールの前記少なくとも１つの前記スイッチング素子による、前記複数のブレーカーに接続された複数のエネルギー源の内の１つからの前記電気系統へのエネルギーの供給を可能にするものである、エネルギーインターフェースシステム。
【請求項２】
前記制御モジュールがさらに、
処理装置、及び
前記処理装置により実行されると、前記制御モジュールに前記素子のスイッチングを可能にするための前記１つ以上の制御信号を送らせる、実行可能な命令を格納するように構成されたコンピュータ読出可能媒体、
を有する、請求項１に記載のエネルギーインターフェースシステム。
【請求項３】
前記制御モジュールがさらに、
前記複数のブレーカーの内の少なくとも１つに接続された前記エネルギー源から前記制御モジュールに電力を供給するように構成された電源、
を有する、請求項１に記載のエネルギーインターフェースシステム。
【請求項４】
前記制御モジュールがさらに、
外部通信ユニットであって、前記外部通信ユニットと通信するリモートコンピュータから命令を受信するように構成された、外部通信ユニット、
を有し、
前記命令は前記制御モジュールに前記１つ以上の制御信号を送らせるものである、請求項１に記載のエネルギーインターフェースシステム。
【請求項５】
前記外部通信ユニットが、
インターネットに接続するためのネットワーク通信ポート、
を有する、請求項４に記載のエネルギーインターフェースシステム。
【請求項６】
前記外部通信ユニットが、
アンテナ、及び
無線通信ポート、
を有し、
前記アンテナ及び前記無線通信ポートは前記命令を無線態様で受信するように構成される、請求項４に記載のエネルギーインターフェースシステム。
【請求項７】
前記複数のスレーブモジュールの内の少なくとも１つがさらに、
前記接続されたブレーカーでの電圧を測定するように構成された第１の電圧センサ、
を有し、
前記複数のスレーブモジュールの内の前記少なくとも１つは前記第１の電圧センサにおける前記電圧の測定値を前記制御モジュールに送るように構成される、請求項１に記載のエネルギーインターフェースシステム。
【請求項８】
前記複数のスレーブモジュールの内の前記少なくとも１つがさらに、
前記少なくとも１つのスレーブモジュールの入り電力線側の電圧を測定するように構成された第２の電圧センサ、
を有し、
前記複数のスレーブモジュールの内の前記少なくとも１つは前記第２の電圧センサにおける前記電圧の測定値を前記制御モジュールに送るように構成される、請求項７に記載のエネルギーインターフェースシステム。
【請求項９】
前記複数のスレーブモジュールの内の前記少なくとも１つがさらに、
前記複数のスレーブモジュールの内の前記少なくとも１つの電圧及び電流を測定し、前記複数のスレーブモジュールの内の前記少なくとも１つの前記測定された電圧及び電流に基づく電力計量能力を提供するように構成された計量回路、
を有する、請求項１に記載のエネルギーインターフェースシステム。
【請求項１０】
少なくとも１つの代替エネルギー源が前記複数のブレーカーの内の少なくとも１つに電気的に接続される、請求項１に記載のエネルギーインターフェースシステム。
【請求項１１】
前記複数のエネルギー源がユーティリティエネルギー源を含む、請求項１に記載のエネルギーインターフェースシステム。
【請求項１２】
前記複数のエネルギー源が前記少なくとも１つの代替エネルギー源を含む、請求項１０に記載のエネルギーインターフェースシステム。
【請求項１３】
少なくとも１つの電気コンポーネントへのエネルギーを制御する方法において、前記方法が、
制御モジュールから、第１のエネルギー源と電力バスの間に配された第１のスイッチング素子を有する第１のスレーブモジュールに通信バスを通じて、前記第１のスイッチング素子を開いて、前記第１のエネルギー源からのエネルギーによる前記電力バスへのエネルギー供給を停止させる第１の制御信号を送るステップ、
及び
前記制御モジュールから、第２のエネルギー源と前記電力バスの間に配された第２のスイッチング素子を有する第２のスレーブモジュールに前記通信バスを通じて、前記第２のスイッチング素子を閉じて、前記第２のエネルギー源からのエネルギーにより前記電力バスにエネルギーを供給させる第２の制御信号を送るステップ、
を含み、
前記第１のエネルギー源はユーティリティエネルギー源であり、前記第２のエネルギー源は代替エネルギー源である、方法。
【請求項１４】
外部通信ユニットを通じてリモートコンピュータから少なくとも１つの命令を受信するステップ、及び
前記少なくとも１つの命令の受信に応答して、前記第１の制御信号及び前記第２の制御信号を送るステップ、
をさらに含む、請求項１３に記載の方法。
【請求項１５】
前記第２のスレーブモジュールに付帯する第１の電圧センサから前記電力バスの電圧の測定値を受け取るステップ、及び
前記第２のスレーブモジュールに付帯する第２の電圧センサから前記第２のエネルギー源の電圧の測定値を受け取るステップ、
をさらに含む、請求項１３に記載の方法。
【請求項１６】
前記制御モジュールから前記第２のスレーブモジュールに前記通信バスを通じて、前記第２のスイッチング素子を開く第３の制御信号を送るステップ、
をさらに含む、請求項１５に記載の方法。
【請求項１７】
前記第１のスレーブモジュールに関連付けられる少なくとも１つの受け取った測定値を、外部通信ユニットを用いてリモートコンピュータに送信するステップ、
をさらに含む、請求項１４に記載の方法。
【請求項１８】
ユーザプロファイルをコンピュータ読出可能媒体に格納するステップ、
をさらに含み、
前記第１の制御信号を送る前記ステップ及び前記第２の制御信号を送る前記ステップが少なくとも前記格納されたユーザプロファイルに基づく、請求項１４に記載の方法。
【請求項１９】
日付及び時刻を維持するステップ、
をさらに含み、
前記第１の制御信号を送る前記ステップ及び前記第２の制御信号を送る前記ステップが少なくとも時刻に基づく、請求項１３に記載の方法。
【請求項２０】
前記第１の制御信号を送る前記ステップ及び前記第２の制御信号を送る前記ステップが少なくとも前記ユーティリティエネルギー源に関連付けられた情報に基づく、請求項１３に記載の方法。
【請求項２１】
エネルギーインターフェースシステムにおいて、
制御モジュール、
前記制御モジュールに電気的に接続され、スイッチング素子を有する、複数のスレーブモジュールであって、該スレーブモジュールの内の少なくとも１つが変圧器と家屋内電気系統の間で電気的に接続されている、複数のスレーブモジュール、及び
前記制御モジュールから前記複数のスレーブモジュールの内の前記少なくとも１つに１つ以上の制御信号を送るように構成された、制御バス、
を備え、
前記制御信号は、前記複数のスレーブモジュールの内の前記少なくとも１つの前記スイッチング素子による、前記変圧器からの前記家屋内電気系統へのエネルギーの供給を可能にするものである、エネルギーインターフェースシステム。
【請求項２２】
前記制御モジュールがさらに、
処理装置、及び
前記処理装置により実行されると、前記制御モジュールに前記素子のスイッチングを可能にするための前記１つ以上の制御信号を送らせる、実行可能な命令を格納するように構成されたコンピュータ読出可能媒体、
を有する、請求項２１に記載のエネルギーインターフェースシステム。
【請求項２３】
前記制御モジュールがさらに、
外部通信ユニットであって、前記外部通信ユニットと通信するリモートコンピュータから命令を受信するように構成された、外部通信ユニット、
を有し、
前記命令は前記制御モジュールに前記１つ以上の制御信号を送らせるものである、請求項２１に記載のエネルギーインターフェースシステム。
【請求項２４】
前記複数のスレーブモジュールの内の前記少なくとも１つがさらに、
前記変圧器での電圧を測定するように構成された第１の電圧センサ、
を有し、
前記複数のスレーブモジュールの内の前記少なくとも１つは前記第１の電圧センサにおける前記電圧の測定値を前記制御モジュールに送るように構成される、請求項２１に記載のエネルギーインターフェースシステム。
【請求項２５】
前記複数のスレーブモジュールの内の少なくとも１つの入り電力線側の電圧を測定するように構成される第２の電圧センサであって、該電圧センサにおける電圧の測定値を前記制御モジュールに送るように構成される第２の電圧センサをさらに有する、請求項２１に記載のエネルギーインターフェースシステム。
【請求項２６】
前記複数のスレーブモジュールの内の前記少なくとも１つがさらに、
前記複数のスレーブモジュールの内の前記少なくとも１つの電圧及び電流を測定し、前記複数のスレーブモジュールの内の前記少なくとも１つの前記測定された電圧及び電流に基づく電力計量能力を提供するように構成された計量回路、
を有する、請求項２１に記載のエネルギーインターフェースシステム。
【請求項２７】
前記複数のスレーブモジュールの内の前記少なくとも１つに電気的に接続され、前記スイッチング素子と前記家屋内電気系統の間に電気接点を与えるように構成された、少なくとも１つのブレーカー、
をさらに有する、請求項２１に記載のエネルギーインターフェースシステム。
【請求項２８】
前記複数のスレーブモジュールの内の前記少なくとも１つの前記スイッチング素子が、前記制御モジュールからの少なくとも１つの命令に応答して、前記変圧器を前記家屋内電気系統から切り離すように構成される、請求項２１に記載のエネルギーインターフェースシステム。